(57)【要約】  【課題】  操作が容易で簡便に使用でき、コンパクトに収容できる化粧料塗布容器を提供する。  【解決手段】  開口部を有し化粧料を収容する収容容器と、開口部に装着されるキャップと、キャップから突設され、キャップを開口部に装着すると収容容器内に収納される塗布具と、塗布具の端部に設けられ化粧料を塗布する塗布部と、キャップが収容容器に対して長手方向に所定距離移動するように、キャップと収容容器とを連結する連結部材とを備える化粧料塗布容器において、所定距離は、塗布部が収容容器から引き出されるに足る距離であり、連結部材は、塗布部が収容容器から引き出された状態で、キャップを回転可能に軸支するようにする。【選択図】図１
2006014852.tif 000002
【特許請求の範囲】
【請求項１】
開口部を有し化粧料を収容する収容容器と、
前記開口部に装着されるキャップと、
前記キャップから突設され、同キャップを前記開口部に装着すると前記収容容器内に収納される塗布具と、
前記塗布具の端部に設けられ、化粧料を塗布する塗布部と、
前記キャップが前記収容容器に対して長手方向に所定距離移動するように、同キャップと同収容容器とを連結する連結部材と、
を備える化粧料塗布容器において、
前記所定距離は、前記塗布部が前記収容容器から引き出されるに足る距離であり、
前記連結部材は、前記塗布部が前記収容容器から引き出された状態で、前記キャップを回転可能に軸支することを特徴とする化粧料塗布容器。
【請求項２】
前記収容容器又は前記キャップの少なくともいずれか一方の側面に、その長手方向に伸び、前記連結部材が通るスライド溝が設けられていることを特徴とする請求項１記載の化粧料塗布容器。
【請求項３】
前記スライド溝は、前記収容容器の側面の両側にそれぞれ１つずつ設けられていることを特徴とする請求項２記載の化粧料塗布容器。
【請求項４】
前記収容容器又は前記キャップのいずれかの側面には、上面から下面まで貫通し、前記連結部材が通る貫通孔を有するガイド部材が備えられていることを特徴とする請求項１記載の化粧料塗布容器。
【請求項５】
前記キャップは、同キャップの前記塗布具が設けられた面と反対側で、同キャップを前記開口部に固定可能に形成されていることを特徴とする請求項１、２、３又は４記載の化粧料塗布容器。
【発明の詳細な説明】
【技術分野】
【０００１】
本発明は、化粧料塗布容器に関する。詳しくは、たとえば、マスカラ、マニキュア、アイシャドウ、リップカラー等の粘性の高い化粧料を塗布するために使用される化粧料塗布容器に関する。
【背景技術】
【０００２】
従来、マスカラやマニキュア等の粘性の高い化粧料を塗布するための化粧料塗布容器としては、下記の特許文献１及び特許文献２に示すような技術が提供されている。
具体的には、特許文献１には、貯蔵部と、この貯蔵部を閉鎖するための取り外し可能な蓋と、この蓋と一体形成されたロッドの端部に保持される塗布部材とを有する化粧用アプリケータとを備えた化粧料塗布容器が開示されている。そして、このアプリケータは当該蓋により保持される軸の周面にハンドルを備え、当該ハンドルは少なくとも１つのアーチにより形成されており、前記貯蔵部に前記蓋を装着した際に、このアーチは前記貯蔵部を取り囲んで畳み込むことができるように構成されている。これにより、前記貯蔵部に前記蓋を装着した際にはコンパクトな形状に収容することができる。さらに、ハンドルは回転可能とされているため、化粧料を塗布しやすくなっている。
【０００３】
また、特許文献２には、容器本体の液体貯留室内に塗布部を有する塗布部材を、塗布部が液体貯蔵室外に突出できるよう出没可能に収容してなる化粧料塗布容器が開示されている。前記化粧料塗布容器は、塗布部を液体貯蔵室外に出没可能とする繰り出し機構を備える。そして、前記液体貯蔵室には塗布部が出没する開口部が形成され、塗布部の没入時に、その塗布部の先端が開口部の内側に当接、または、開口部の内側近傍に位置するように構成されている。この化粧料塗布容器では、蓋を使用せずに塗布部材を代用することで、容器内の化粧料等の漏れを防止することとしている。また、この塗布容器では、塗布部材は出没可能に収容されるため、取り扱いやすくなっている。
【特許文献１】特開平６−２３７８２０号公報
【特許文献２】特開平７−３２３２５２号公報
【発明の開示】
【発明が解決しようとする課題】
【０００４】
特許文献１に開示されている化粧料塗布容器においては、上述の如く、化粧用アプリケータが備えられており、この化粧用アプリケータは、蓋とこの蓋に一体形成されたロッドの端部に保持される塗布部材とを有している。さらに、この蓋には回転自在なハンドルが備えられている。したがって、当該ハンドルを回転させて、塗布部材を使用しやすい状態に位置させることができる。
しかし、この化粧料塗布容器は、蓋と貯蔵部とが別部材として形成されており、化粧料を塗布する際には、化粧用アプリケータと収容容器とが分離して使用されるような構成となっている。したがって、この化粧料塗布容器の使用者は、片方の手で収容容器を保持しながら、もう一方の手で化粧用アプリケータを使用して化粧料を塗布しなければならず、使用が不便であるという問題が生じていた。
【０００５】
また、特許文献２に開示されている化粧料塗布容器においては、上述の如く、塗布部材が化粧料塗布容器から出没可能に収容できるように形成されており、塗布部材と収容容器とが一体となるように構成されている。したがって、化粧料を塗布する場合にも塗布部材と収容容器とが分離することなく一体のまま使用できるため、前記特許文献１に開示されている化粧料塗布容器のように、部材が分離して構成されていることに伴う使用の不便性という問題が生じることはない。しかし、塗布部材を化粧料塗布容器から出没可能となるように収容するためには、化粧料塗布容器の長さとして、塗布部材の全長に、この塗布部材を化粧料塗布容器から出没可能とするための繰り出し機構の全長を加えた長さが最低限必要となる。したがって、この化粧料塗布容器の長さは、通常の化粧料塗布容器よりも長くなってしまい、コンパクトさに欠け、携帯等に不便であるという問題が生じていた。また、通常の化粧料塗布容器よりも大型化しているため、化粧料の塗布が困難であるという問題も生じていた。
【０００６】
したがって、上記のような事情により、簡易な操作性により使用しやすく、かつ、コンパクトであって携帯性に優れるような化粧料塗布容器の提供が望まれている。
そこで、本発明は、上記事情に鑑みてなされたものであり、操作が容易で簡便に使用でき、かつ、コンパクトに収容できるような化粧料塗布容器を提供することを第１の課題とする。
さらに、本発明は、上記第１の課題に加え、化粧料を塗布する際に、より安定して使用することができるような化粧料塗布容器を提供することを第２の課題とする。
【課題を解決するための手段】
【０００７】
（第１の発明）
本発明のうち第１の発明は、開口部14を有し化粧料を収容する収容容器11と、前記開口部14に装着されるキャップ31と、前記キャップ31から突設され、同キャップ31を前記開口部14に装着すると前記収容容器11内に収納される塗布具51と、前記塗布具51の端部に設けられ、化粧料を塗布する塗布部52と、前記キャップ31が前記収容容器11に対して長手方向に所定距離移動するように、同キャップ31と同収容容器11とを連結する連結部材21と、を備える化粧料塗布容器1において、前記所定距離は、前記塗布部52が前記収容容器11から引き出されるに足る距離であり、前記連結部材21は、前記塗布部52が前記収容容器11から引き出された状態で、前記キャップ31を回転可能に軸支することを特徴とする。
【０００８】
本発明に係る化粧料塗布容器1は、開口部14を有し化粧料をする収容容器11を備えている。
すなわち、この収容容器1の所定の位置には開口部14が設けられており、その内部には化粧料を収容できる。この収容容器11の形状は、その内部に、後述するキャップ31から突設された塗布具51を収納できれば特に限定されるものではなく、筒型、箱型等とすることができる。また、前記収容容器11の大きさについても、前記塗布具51を収納できれば特に限定されるものではないが、携帯性及び操作性を考慮すると、あまり大きいものは適切とはいえず、前記塗布具51を収納できる程度の大きさとするのが望ましい。
【０００９】
また、前記開口部14を設ける位置としては、前記塗布具51の収納及び抜き差しのしやすさを考慮して、前記収容容器11の一端に設けるのが望ましい。
また、前記収容容器11は、その内部に化粧料を直接収容することができるような構造としてもよいが、収容容器11の内部に、この収容容器11と別体となるように形成した収納部を備え、この中に化粧料を収容することができるような構造としてもよい。
また、この収容容器11に収容する化粧料としては粘性の高いものが望ましい。たとえば、マスカラ、毛染め、リップカラー、アイシャドウ、マニキュア等の化粧料を収容することが可能である。
【００１０】
本発明に係る化粧料塗布容器1は、前記開口部14に装着されるキャップ31も備えている。
すなわち、キャップ31は前記開口部14に装着され、これにより前記収容容器11に固定することができる。
また、前記キャップ31は前記開口部14に装着されるのであれば、その装着態様は特に限定されるものではない。具体的には、前記キャップ31は円柱形状や角柱形状をしており、これを前記開口部14に挿入することで装着するような態様とすることができる。また、前記キャップ31は天板を有する筒型をしており、同キャップ31が前記開口部14に覆い被さることで装着するような態様とすることができる。
【００１１】
本発明に係る化粧料塗布容器1は、このキャップ31から突設され、キャップ31を前記開口部14に装着すると前記収容容器内11に収納される塗布具51と、この塗布具51の端部に設けられ、化粧料を塗布する塗布部52とを備える。
具体的には、この塗布具51は、前記キャップ31を前記開口部14に装着した際に前記キャップ31の前記開口部14と対向する面から、前記収容容器11方向に突出するものである。そして、この塗布具51の端部に化粧料を塗布する塗布部52が設けられている。そして、前記キャップ31を前記開口部14に装着すると、前記塗布具51は前記収容容器11の内部に挿入され、これにより前記塗布具51が収納されることとなる。
【００１２】
前記塗布具51は、前記キャップ31から突設されていれば、前記キャップ31と一体成形されていてもよく、又は、前記キャップ31と別体として形成されていてもよい。
前記塗布具51の端部に設けられた塗布部52は、収容容器11内に収容されている化粧料を塗布するためのものである。したがって、前記塗布具51は、塗布部52が収容容器11の底に到達できるような長さを有している必要がある。
また、塗布部52には、ブラシ、スポンジ、ウレタンチップ、櫛などの部材を使用することができる。
本発明に係る化粧料塗布容器1は、前記キャップ31が前記収容容器11に対して長手方向に所定距離移動するように、同キャップ31と同収容容器11とを連結する連結部材21をも備える。
【００１３】
「長手方向」とは、前記収容容器11の開口部14から同収容容器11の底部へ至る方向、又は、同収容容器11の底部から同収容容器11の開口部14へ至る方向をいう。
「前記キャップ31が前記収容容器11に対して移動する」とは、前記キャップ31が前記収容容器11に対して相対的に移動することをいう。すなわち、前記キャップ31が前記連結部材21を介して長手方向に移動すること、及び、前記収容容器11が前記連結部材21を介して長手方向に移動することにより前記キャップ31が相対的に長手方向に移動することを意味する。
また、前記所定距離は、前記塗布部52が前記収容容器11から引き出されるに足る距離である。
【００１４】
すなわち、前記キャップ31は、少なくとも、前記塗布部52が前記収容容器1から引き出されるまで、長手方向に移動させることができる。これにより、前記キャップ31が長手方向に移動するに伴って、前記塗布部52が前記収容容器11に抜き差しされることとなる。
前記連結部材21が前記収容容器11と前記キャップ31とを連結する態様としては、たとえば、前記収容容器11は長手方向に移動せず、前記キャップ31のみが長手方向に移動するように連結することができる。この場合は、前記キャップ31の長手方向への移動により、前記塗布部52が前記収容容器11の中へ差し込まれたり、同収容容器11から引き出されたりすることとなる。
【００１５】
また、前記キャップ31は長手方向に移動せず、前記収容容器11のみが長手方向に移動するように連結することができる。この場合は、前記収容容器11が長手方向に移動することにより前記キャップ31が相対的に長手方向に移動する。そして、前記収容容器11の長手方向への移動により、前記塗布部52が前記収容容器11の中へ差し込まれたり、同収容容器11から引き出されたりすることとなる。
また、前記収容容器11が長手方向に移動し、かつ、前記キャップ31も長手方向に移動するように連結することもできる。この場合は、前記収容容器11又は前記キャップ31の少なくともいずれか一方の長手方向への移動により、前記塗布部52が前記収容容器11の中へ差し込まれたり、同収容容器11から引き出されたりすることとなる。
【００１６】
また、前記連結部材21は、前記収容容器11の外周面と前記キャップ31の外周面とを連結するような構造とすることができる。これに対して、前記連結部材21は、前記収容容器11の内周面と前記キャップ31の内周面とを連結するような構造とすることもできる。
また、前記連結部材21の設置数及び設置位置は、後述するようなキャップ31が回転することを妨げるものでなければ特に限定されるものではない。具体的には、１つの連結部材21を備え、これにより前記収容容器11と前記キャップとを連結することができる。また、２つの連結部材21を対向するように備え、前記収容容器11の側面の両側と前記キャップ31の側面の両側とを連結することもできる。
【００１７】
前記連結部材21は、前記塗布部52が前記収容容器11から引き出された状態で、前記キャップ31を回転可能に軸支する。
すなわち、前記キャップ31は、前記塗布部52が前記収容容器11から引き出された状態で、前記連結部材21との連結部位を軸として回転する。前記キャップ31が１８０°反対向きとなるまで回転すると、これに伴って、前記キャップ31から突設された前記塗布具51も１８０°反対向きになるまで回転することとなる。これにより、前記塗布部52に付着した化粧料を塗布することができる。
また、本発明に係る化粧料塗布容器1において、前記収容容器11又は前記キャップ31の少なくともいずれか一方の側面に、その長手方向に伸び、前記連結部材21が通るスライド溝13を設けてもよい。
【００１８】
すなわち、前記連結部材21が前記スライド溝13にガイドされて長手方向に移動することとなり、これにより、前記収容容器11又は前記キャップ31が相対的に長手方向に移動することとなる。
具体的には、前記キャップ31の側面に、前記スライド溝13を設けることができる。この場合、前記連結部材21が前記スライド溝13にガイドされて長手方向に移動する。すると、前記キャップ31が前記連結部材21に対して相対的に長手方向に移動することとなる。
また、前記収容容器11の側面に、前記スライド溝13を設けることもできる。この場合、前記連結部材21が前記スライド溝13にガイドされて長手方向に移動する。すると、前記収容容器11が前記連結部材21に対して相対的に長手方向に移動することとなる。これにより、前記キャップ31が相対的に長手方向に移動することとなる。
【００１９】
また、前記収容容器11の側面及び前記キャップ31の側面にそれぞれ、前記スライド溝13を設けることもできる。この場合、前記連結部材21が、前記収容容器11に備えられた前記スライド溝13、又は、前記キャップ31に備えられたスライド溝13の少なくともいずれか一方にガイドされて長手方向に移動する。すると、前記キャップ31が相対的に長手方向に移動することとなる。
また、前記スライド溝13は、前記収容容器11の側面又は前記キャップ31の側面を貫通していてもよく、又は、貫通していなくてもよい。
また、本発明に係る化粧料塗布容器1において、前記スライド溝13は、前記収容容器11の側面の両側にそれぞれ１つずつ設けてもよい。
【００２０】
すなわち、２つのスライド溝13を前記収容容器11の側面の両側に、それぞれのスライド溝13が対向するように、設けてもよい。この場合、前記連結部材21も２つ備えられることとなり、各々の連結部材21が、前記収容容器11と前記キャップ31とを連結する。そして、各々の連結部材21が前記スライド溝13にガイドされて長手方向に移動することにより、前記収容容器11が相対的に長手方向に移動する。すると、前記キャップ31が前記収容容器11に対して相対的に長手方向に移動することとなる。
また、本発明に係る化粧料塗布容器1において、前記収容容器11又は前記キャップ31のいずれかの側面には、上面から下面まで貫通し、前記連結部材21が通る貫通孔17を有するガイド部材16が備えてもよい。
【００２１】
すなわち、前記連結部材21が前記貫通孔17を通って長手方向に移動することとなり、これにより、前記収容容器11又は前記キャップ31が相対的に長手方向に移動することとなる。
具体的には、前記キャップ31の側面に、前記ガイド部材16を備えることができる。この場合、前記連結部材21が前記貫通孔17を通って長手方向に移動する。すると、前記キャップ31が前記連結部材21に対して相対的に長手方向に移動することとなる。
また、前記収容容器11の側面に、前記ガイド部材16を備えることもできる。この場合、前記連結部材21が前記貫通孔17を通って長手方向に移動する。すると、前記収容容器11が前記連結部材21に対して相対的に長手方向に移動することとなる。これにより、前記キャップ31が相対的に長手方向に移動することとなる。
【００２２】
また、ここで、「下」とは、前記収容容器11の底面と垂直な直線上で、前記収容容器11の底面が位置する方向をいい、「下面」とは、下側の面を意味する。また、「上」とは、前記収容容器11の底面と垂直な直線上で、前記収容容器11の開口部14が位置する方向、すなわち、前記「下」と反対の方向をいい、「上面」とは、上側の面を意味する。
（第２の発明）
本発明のうち第２の発明は、上記第１の発明の特徴に加え、前記キャップ31は、同キャップ31の前記塗布具51が設けられた面と反対側で、同キャップ31を前記開口部14に固定可能に形成されていることを特徴とする。
【００２３】
すなわち、前記キャップ31は、前記塗布具51が設けられた側で前記収容容器11に装着され固定されるだけでなく、前記キャップ31の、前記塗布具51が設けられた面と反対側でも、前記収容容器11に固定され、前記開口部14を塞ぐことができる。
これにより、この化粧用塗布容器1の使用時にも、前記キャップ31を前記収容容器11に固定することができるため、安定した化粧料の塗布を行うことができる。
【発明の効果】
【００２４】
本発明は、以下に記載されるような効果を奏する。
（第１の発明）
すなわち、本発明のうち第１の発明は、操作が容易で簡便に使用でき、かつ、コンパクトに収容できるような化粧料塗布容器を提供することができる。
具体的には、本発明においては、キャップを収容容器から引き出し、塗布部を回転させて使用するため、使用における一連の動作を片手で行うことができるため操作性に優れている。
また、塗布部と収容容器とが一体となっているため、化粧料塗布容器の使用時に、収容容器の置き場所に困るということもない。
【００２５】
さらに、コンパクトに収容できるため、携帯性にも優れている。
（第２の発明）
また、本発明のうち第２の発明は、上記した第１の発明の効果に加え、化粧料を塗布する際に、より安定して使用することができるような化粧料塗布容器を提供することができる。
【発明を実施するための最良の形態】
【００２６】
以下、本発明の実施の形態を図面を参照しつつ説明する。
（１）第１の実施の形態
（図面の説明）
図１は、本発明の第１の実施の形態に係る化粧料塗布容器1の組立前の状態を示した図である。図２は、本発明の第１の実施の形態に係る化粧料塗布容器1において、塗布具51を収容容器11に収納した状態（ａ）、塗布具51を収容容器11から引き出した状態（ｂ）、キャップ31を１８０°回転させた状態（ｃ）、キャップ31により開口部14を塞いだ状態（ｄ）を示した図である。
【００２７】
また、ここで、「下」とは、前記収容容器11の底面と垂直な直線上で、前記収容容器11の底面が位置する方向をいう。また、「上」とは、前記収容容器11の底面と垂直な直線上で、前記収容容器11の開口部14が位置する方向、すなわち、前記「下」と反対の方向をいう。
（収容容器11）
上述の如く、本発明に係る化粧料塗布容器1は、開口部14を有し化粧料を収容する収容容器11を備える。すなわち、この収容容器11の所定の位置には開口部14が設けられており、収容容器11の内部に化粧料を収容する。具体的には、図１に示すように、本実施の形態に係る収容容器11は筒状体となっており、その上方向の端部に開口部14が設けられている。
【００２８】
また、前記収容容器11は、上述の如く、収容容器11の内部に、この収容容器11と別体となるように形成した収納部を備え、この中に化粧料を収容するような構造とすることもできる。具体的には、図１に示すように、本実施の形態に係る収容容器11は、その内部に、前記収納部として筒状の化粧料収納室12を備えており、この化粧料収納室12の、上方向の端部に収納室開口部15が設けられている。そして、前記化粧料収納室12の内部に化粧料が収容される。
また、図１に示すように、前記収容容器11の外周面には、前記開口部14の口縁から前記収容容器11の先端近傍まで至り、かつ、この外周面から内周面まで貫通したスライド溝13が２つ設けられている。そして、この２つのスライド溝13は、前記外周面を円周方向に２等分する位置にそれぞれ設けられている。換言すれば、この２つのスライド溝13は円周方向に１８０°おいて、互いが対向する位置に設けられている。
【００２９】
また、収容容器11の内周面の前記開口部14の口縁近傍に、肉厚部を備えており、この部分のみ内径が若干小さくなっている。
（キャップ31）
上述の如く、本発明に係る化粧料塗布容器1は、前記開口部14に装着されるキャップ31も備えている。すなわち、キャップ31は前記開口部14に装着され、これにより前記収容容器11に固定することができる。
具体的には、図１に示すように、本実施の形態に係るキャップ31は円柱形状となっている。そして、前記キャップ31を前記開口部14に装着した際に、前記キャップ31の前記開口部14と対向する面には、前記収容容器11方向に突出する円筒状の嵌合体32を備える。この嵌合体32の外径は、前記収容容器11の前記開口部14の内径よりも小さくなっており、前記収容容器11に挿入して嵌めることが可能となっている。これにより、キャップ31は前記開口部14に装着され、前記収容容器11に固定される。
【００３０】
また、前記嵌合体32の内径は、前記化粧料収納室12の前記収納室開口部15の外径よりも大きくなっている。これにより、前記キャップ31が前記開口部14に装着された際には、前記収納室開口部15も塞ぐことができることとなる。
また、図１に示すように、前記キャップ31の外周面の中央部には、後述する連結部材21が前記キャップ31と連結するための連結凹部33が２つ設けられている。この連結凹部33は、円形穴となっており、前記キャップ31の外周面を円周方向に２等分する位置にそれぞれ設けられている。当該円形穴は、前記キャップ31の外周面を貫通するものではない。
また、前記連結凹部33の最奥部周辺の内径は、それ以外の部分の内径よりも若干大きくなっている。
【００３１】
（塗布具51）
上述の如く、本発明に係る化粧料塗布容器1は、前記キャップ31から突設され、キャップ31を前記開口部14に装着した際に前記収容容器内11に収納される塗布具51と、この塗布具51の端部に設けられ、化粧料を塗布する塗布部52とを備える。具体的には、図１に示すように、この塗布具51は、前記キャップ31を前記開口部14に装着した際に前記キャップ31の前記開口部14と対向する面から、前記収容容器11方向に突出するものである。そして、この塗布具51の端部に化粧料を塗布する塗布部52が設けられている。そして、前記キャップ31を前記開口部14に装着した際には、前記塗布具51は前記収容容器11の内部に挿入され、これにより前記塗布具51が収納されることとなる。
【００３２】
さらに具体的には、図１に示すように、前記キャップ31は、このキャップ31の前記開口部14と対向する面から、前記収容容器11方向に伸びる柄53を備えている。そして、この柄53の収容容器11方向の端部に化粧料を塗布できる塗布部52としてのブラシ54が設けられている。
また、上述の如く、前記塗布具51は、前記キャップ31を前記開口部14に装着した際に、前記収容容器11の内部に収納される。すなわち、前記キャップ31を前記開口部14に装着した際には、前記塗布具51は前記収容容器11の内部に挿入される。
具体的には、前記柄53及び前記ブラシ54が、前記収容容器11の内部に挿入されるとともに、前記収容容器11の内部に備えられた前記化粧料収納室12の内部にも挿入されることとなる。これにより、前記塗布具51は、前記収容容器11の内部、すなわち、化粧料収納室12に収納されることとなる。
【００３３】
（連結部材21）
上述の如く、本発明に係る化粧料塗布容器1は、前記キャップ31が前記収容容器11に対して長手方向に所定距離移動するように、同キャップ31と同収容容器11とを連結する連結部材21をも備える。
具体的には、図１に示すように、前記連結部材21は、円筒状のストッパー25と、前記ストッパー25の外縁から上方向に伸び、前記２つのスライド溝13と対応する位置にそれぞれ備えられ、同スライド溝13とほぼ同じ長さの２つの第１スライド部24と、前記第１スライド部24それぞれの外側から外方へ突出するように備えられ、かつ、前記第１スライド部24よりも長い２つの第２スライド部22とを備えている。
【００３４】
前記ストッパー25の外径は、前記収容容器11の肉厚部の内径よりもやや大きく、この肉厚部以外の前記収容容器11の内径よりもやや小さくなっている。
また、前記第２スライド部22は、第１スライド部24の外側から外方へ突出する突条26と、この突条26の上に備えられ、第１スライド部24と対向してこの第１スライド部24とほぼ重複する保持板27とを備えており、この突条26と保持板27とは断面がＴ字形状となるように構成されている（図１参照）。
また、前記保持板27の上方向の端部には、同保持板27と直交するように内方へ突出する軸が備えられており、この軸の先端部に、前記キャップ31の各連結凹部33と係止される円形板状の連結凸部23が備えられている。前記連結凸部23の外径は、前記キャップ31の連結凹部33の最奥部周辺の内径とほぼ等しく、それ以外の部分の内径よりもやや大きくなっている。
【００３５】
（収容容器11と連結部材21との連結、連結部材21の移動）
前記連結部材21と前記収容容器11とは連結される。
具体的には、前記連結部材21のストッパー25を、前記収容容器11の開口部14から収容容器11の内部に挿入する。ここで、上述の如く、前記収容容器11の開口部14近傍には肉厚部が備えられており、前記ストッパー25の外径は前記肉厚部の内径よりもやや大きくなっている。そこで、前記ストッパー25を圧入して、前記肉厚部を乗り越える。すると、前記ストッパー25の上方向の端部は、前記肉厚部の下方向の端部に引っ掛かることとなり、前記連結部材21と前記収容容器11とが連結される。
【００３６】
また、上述の如く、前記収容容器11の外周面には内周面まで貫通するスライド溝13が設けられている。ここで、前記連結部材21の第２スライド部22に備えられた突条26を、前記スライド溝13に通して、前記連結部材21を下方向に移動させる。すると、前記連結部材21が、前記スライド溝13にガイドされながら、前記収容容器11の内部に挿入されていく。そして、前記連結部材21は、前記ストッパー25の下方向の端部が前記収容容器11の底部と接するまで移動することとなる。このようにして、前記連結部材21は、前記ストッパー25の上方向の端部が前記肉厚部の下方向の端部と接する位置から、前記ストッパー25の下方向の端部が前記収容容器11の底部と接する位置に至るまで移動することとなる（図２（ａ）及び（ｂ）参照）。
【００３７】
これにより、前記収容容器11は前記連結部材21に対して相対的に長手方向に移動することとなる。
（連結部材21とキャップ31との連結、塗布具51の回転）
前記連結部材21は、前記収容容器11とも連結される。
すなわち、前記第２スライド部22の保持板27の上方向の端部に備えられた連結凸部23が、前記キャップ31の側面に設けられた連結凹部33に係止される。
上述の如く、前記連結凸部23は円板形状をしており、前記連結凹部33は円形穴となっている。また、前記連結凸部23の外径は前記連結凹部33の最奥部周辺の内径とほぼ等しくなっているが、それ以外の部分の内径よりもやや大きくなっている。
【００３８】
前記連結凸部23は、前記連結凹部33に圧入されることにより、前記連結凹部33の最奥部周辺まで至る。そして、前記連結凸部23が、前記連結凹部33に引っ掛かることとなり、前記連結部材21と前記キャップ31とが連結される。
また、前記キャップ31は、前記塗布部52が前記収容容器11から引き出された状態で、前記連結部材21との連結部位を軸として回転する。
具体的には、前記キャップ31は、前記塗布具51の先端に備えられた塗布部52としてのブラシ54が前記収容容器11から引き出された状態で、前記連結凸部23を支持する軸を回転の軸として回転し、１８０°反対の方向を向くこととなる。したがって、前記キャップ31から突設された塗布具51も１８０°反対の方向を向くこととなる。すなわち、下方向を向いていた塗布具51が上方向を向くこととなる（図２（ｃ）参照）。
【００３９】
（化粧料塗布容器1の使用方法）
図２（ａ）に示すように、塗布具51を収容容器11に収納した状態では、連結部材21に備えられたストッパー25の下方向の端部が前記収容容器11の底部まで至っており、前記連結部材21と連結されているキャップ31は、前記収容容器11の開口部14に装着されている。すなわち、前記キャップ31は、その下面に備えられた嵌合体32によって、前記収容容器11に固定されている。さらに、前記嵌合体32は、前記収容容器11の内部に備えられた化粧料収納室12の収納室開口部15を塞いでいる。また、前記キャップ31から突設されている塗布具51は、前記化粧料収納室12に収納されている。これにより、前記塗布具51の先端に設けられた塗布部52としてのブラシ54は、前記化粧料収納室12に収容されている化粧料に浸されている。
【００４０】
そして、化粧料塗布容器1を使用する際には、まず、前記キャップ31を上方向に引っ張り、前記収容容器11から引き出す。そして、前記キャップ31をさらに上方向に引っ張ると、これに伴って、前記キャップ31を連結する前記連結部材21も、上方向に移動することとなる。そして、前記連結部材21を、前記収容容器11の肉厚部の下方向の端部と前記ストッパー25の上方向の端部とが接するまで、引き出す。すると、前記ブラシ54が前記収容容器11から引き出される（図２（ｂ）参照）。
そして、前記キャップ31を、前記連結凸部23を支える軸を回転軸として１８０°回転させると、前記キャップ31が反対方向を向く。これにより、前記塗布具51も反対方向を向くこととなり、前記ブラシ54が上方向を向くこととなる（図２（ｃ）参照）。
【００４１】
そして、前記キャップ31が前記開口部14を塞ぐ状態となるまで、同キャップ31を下方向に移動させる（図２（ｄ）参照）。
これにより、ブラシ54に付着している化粧料を塗布することができる。
（２）第２の実施の形態
（図面の説明）
図３は、本発明の第２の実施の形態に係る化粧料塗布容器1において、塗布具51を収容容器11に収納した状態（ａ）、塗布具51を収容容器11から引き出した状態（ｂ）、キャップ31を１８０°回転させて収容容器11に固定した状態（ｃ）を示した図である。
【００４２】
また、ここで、「下」とは、前記収容容器11の底面と垂直な直線上で、前記収容容器11の底面が位置する方向をいう。また、「上」とは、前記収容容器11の底面と垂直な直線上で、前記収容容器11の開口部14が位置する方向、すなわち、前記「下」と反対の方向をいう。
（収容容器11）
本実施の形態に係る収容容器11の外観及び構成は、第１の実施の形態と同一であって、図１と同一であるため説明を省略する。
（キャップ31）
本実施の形態に係るキャップ31に備えられた嵌合体32及び連結凹部33の外観及び構成等は、第１の実施の形態と同一であるため、説明を省略する。
【００４３】
また、前記キャップ31の、嵌合体32が備えられた面と反対側の面には、上方向に突出する円筒状の後嵌合体32を備える。前記後嵌合体32の外径は、前記収容容器11の開口部14の内径よりも小さくなっており、後嵌合体32を前記収容容器11に挿入して嵌めることが可能となっている。これにより、キャップ31は前記収容容器11に固定され、前記後嵌合体32が備えられた面でも前記開口部14を塞ぐこととなる。
また、前記後嵌合体32の内径は、前記化粧料収納室12の前記収納室開口部15の外径よりも大きくなっている。これにより、前記キャップ31が、前記後嵌合体32が位置する側で前記収容容器11に固定された際にも、前記収納室開口部15を塞ぐこととなる。
【００４４】
（塗布具51）
本実施の形態に係る塗布具51の外観及び構成は、第１の実施の形態と同一であって、図１と同一であるため説明を省略する。
（連結部材21）
本実施の形態に係る連結部材21の外観及び構成は、第１の実施の形態と同一であって、図１と同一であるため説明を省略する。
（収容容器11と連結部材21との連結、連結部材21の移動）
本実施の形態に係る収容容器11と連結部材21との連結については、第１の実施の形態と同一であるため説明を省略する。
【００４５】
また、本実施の形態に係る連結部材11の移動についても、第１の実施の形態と同一であるため説明を省略する。
（連結部材21とキャップ31との連結、塗布具51の回転）
本実施の形態に係る連結部材21とキャップ31との連結については、第１の実施の形態と同一であるため説明を省略する。
また、本実施の形態に係る塗布具51の回転についても、第１の実施の形態と同一であるため説明を省略する。
（化粧料塗布容器1の使用方法）
図３（ａ）に示すように、塗布具51を収容容器11に収納した状態では、連結部材21に備えられたストッパー25の下方向の端部が前記収容容器11の底部まで至っており、前記連結部材21と連結されているキャップ31は、前記収容容器11の開口部14に装着されている。すなわち、前記キャップ31は、その下面に備えられた嵌合体32によって、前記収容容器11に固定されている。さらに、前記嵌合体32は、前記収容容器11の内部に備えられた化粧料収納室12の収納室開口部15を塞いでいる。また、前記キャップ31から突設されている塗布具51は、前記化粧料収納室12に収納されている。これにより、前記塗布具51の先端に設けられた塗布部52としてのブラシ54は、前記化粧料収納室12に収容されている化粧料に浸されている。
【００４６】
そして、化粧料塗布容器1を使用する際には、まず、前記キャップ31を上方向に引っ張り、前記収容容器11から引き出す。そして、前記キャップ31をさらに上方向に引っ張ると、これに伴って、前記キャップ31を連結する前記連結部材21も、上方向に移動することとなる。そして、前記連結部材21を、前記収容容器11の肉厚部の下方向の端部と前記ストッパー25の上方向の端部とが接するまで、引き出す。すると、前記ブラシ54が前記収容容器11から引き出される（図３（ｂ）参照）。
そして、前記キャップ31を、前記連結凸部23を支える軸を回転軸として１８０°回転させると、前記キャップ31が反対方向を向く。これにより、前記塗布具51も反対方向を向くこととなり、前記ブラシ54が上方向を向くこととなる。
【００４７】
そして、前記キャップ31が前記開口部14に至るまで、同キャップ31を下方向に移動させ、前記キャップ31を前記開口部14に挿入する。これにより、前記後嵌合体34が前記収容容器11と嵌合し、同収容容器11に固定されることとなる（図３（ｃ）参照）。
これにより、安定して、ブラシ54に付着している化粧料を塗布することができる。
（３）第３の実施の形態
（図面の説明）
図４は、本発明の第３の実施の形態に係る化粧料塗布容器1の組立前の状態を示した図である。図５は、本発明の第３の実施の形態に係る化粧料塗布容器1において、塗布具51を収容容器11に収納した状態（ａ）、塗布具51を収容容器11から引き出した状態（ｂ）、キャップ31を１８０°回転させた状態（ｃ）を示した図である。
【００４８】
また、ここで、「下」とは、前記収容容器11の底面と垂直な直線上で、前記収容容器11の底面が位置する方向をいう。また、「上」とは、前記収容容器11の底面と垂直な直線上で、前記収容容器11の開口部14が位置する方向、すなわち、前記「下」と反対の方向をいう。
（収容容器11）
本実施の形態に係る収容容器11の、開口部14の構造及び収容容器11の内部の構成は、第１の実施の形態と同一であって、図１と同一であるため説明を省略する。
また、図４に示すように、前記収容容器11の外周面の前記開口部14の口縁近傍に、後述する連結部材21の外径よりも若干大きい内径の貫通孔17を有する円筒型のガイド部材16が２つ備えられる。このガイド部材16は、前記外周面を円周方向に２等分する位置にそれぞれ備えられている。すなわち、これら２つのガイド部材16は、円周方向に１８０°おいて、互いが対向する位置に備えられている。また、前記貫通孔17が、前記ガイド部材16の上面から下面まで貫通している。（図４参照）。
【００４９】
（キャップ31）
本実施の形態に係るキャップ31の外観及び構成は、第１の実施の形態と同一であって、図１と同一であるため、説明を省略する。
（塗布具51）
本実施の形態に係る塗布具51の外観及び構成は、第１の実施の形態と同一であって、図１と同一であるため説明を省略する。
（連結部材21）
図４に示すように、本実施の形態に係る連結部材21は、２本の円柱形の棒状部材である連結具28と、これらの連結具28の下方向の端部に装着される連結具キャップ29とを備えている。前記連結具28の外径は、前記ガイド部材16の貫通孔17の内径よりも若干小さくなっている。また、前記連結具キャップ29の外径は前記ガイド部材16の貫通孔17の内径よりも大きくなっている。
【００５０】
また、前記連結具28の上方向の端部には、同連結具28と直交する方向に突出する軸が備えられており、この軸の先端に、前記キャップ31の連結凹部33と係止される円形板状の連結凸部23が備えられている。この連結凸部23の外観及び構成は、第１の実施の形態と同一であって、図１と同一であるため説明を省略する。
（収容容器11と連結部材21との連結、連結部材21の移動）
上述の如く、前記連結具28の外径は、前記ガイド部材16の貫通孔17の内径よりも若干小さくなっているため、前記連結具28を前記貫通孔17に通すことができる。
そこで、前記連結具28を前記ガイド部材16の上側から前記貫通孔17に挿入する。そして、前記連結具28を前記貫通孔17に通した状態で、前記連結具28の下方向の端部に前記連結具キャップ29を装着する。すると、前記連結具キャップ29の外径は、上述の如く、前記貫通孔17の内径よりも大きいため、前記連結具キャップ29の上方向の端部が、前記ガイド部材16の下方向の端部に引っ掛かり、前記収容容器11と前記連結部材21とが連結される。
【００５１】
また、上述の如く、前記連結部材21が前記貫通孔17を通って長手方向に移動する。具体的には、前記連結部材21を前記貫通孔17に通して上方向に移動させると、前記キャップ31の下方向の端部が前記開口部14に接するまで移動することとなる。また、前記連結部材21を前記貫通孔17に通して下方向に移動させると、前記連結具キャップ29の上方向の端部が前記ガイド部材16の下方向の端部に接するまで移動することとなる（図５（ａ）及び（ｂ）参照）。
これにより、前記収容容器11は前記連結部材21に対して相対的に長手方向に移動することとなる。
【００５２】
（連結部材21とキャップ31との連結、塗布具51の回転）
本実施の形態に係る連結部材21とキャップ31との連結については、第１の実施の形態と同一であるため説明を省略する。
また、本実施の形態に係る塗布具51の回転についても、第１の実施の形態と同一であるため説明を省略する。
（化粧料塗布容器1の使用方法）
図５（ａ）に示すように、塗布具51を収容容器11に収納した状態にでは、連結部材21と連結されているキャップ31が、前記収容容器11の開口部14に装着されている。そして、前記キャップ31は、その下面に備えられた嵌合体32によって、前記収容容器11に固定されている。さらに、前記嵌合体32は、前記収容容器11の内部に備えられた化粧料収納室12の収納室開口部15を塞いでいる。また、前記キャップ31から突設されている塗布具51は、前記化粧料収納室12に収納されている。これにより、前記塗布具51の先端に設けられた塗布部52としてのブラシ54は、前記化粧料収納室12に収容されている化粧料に浸されている。
【００５３】
そして、化粧料塗布容器1を使用する際には、まず、前記キャップ31を上方向に引っ張って、前記収容容器11から引き出す。そして、前記キャップ31をさらに上方向に引っ張ると、これに伴って、前記キャップ31と連結している前記連結部材21が前記ガイド部材16の貫通孔17を通って、上方向に移動することとなる。そして、前記連結部材21を、前記連結具キャップ29の上方向の端部と前記ガイド部材16の下方向の端部とが接するまで移動させる。すると、前記ブラシ54が前記収容容器11から引き出される（図５（ｂ）参照）。
そして、前記キャップ31を、前記連結凸部23を支える軸を回転軸として１８０°回転させると、前記キャップ31が反対方向を向く。これにより、前記塗布具51も反対方向を向くこととなり、前記ブラシ54が上方向を向くこととなる（図５（ｃ）参照）。
【００５４】
そして、前記キャップ31が前記開口部14を塞ぐ状態となるまで、同キャップ31を下方向に移動させる。
これにより、ブラシ54に付着している化粧料を塗布することができる。
【図面の簡単な説明】
【００５５】
【図１】本発明の第１の実施の形態に係る化粧料塗布容器の組立前の状態を示した図である。
【図２】本発明の第１の実施の形態に係る化粧料塗布容器において、塗布具を収容容器に収納した状態（ａ）、塗布具を収容容器から引き出した状態（ｂ）、キャップを１８０°回転させた状態（ｃ）、キャップにより開口部を塞いだ状態（ｄ）を示した図である。
【図３】本発明の第２の実施の形態に係る化粧料塗布容器において、塗布具を収容容器に収納した状態（ａ）、塗布具を収容容器から引き出した状態（ｂ）、キャップを１８０°回転させて収容容器に固定した状態（ｃ）を示した図である。
【図４】本発明の第３の実施の形態に係る化粧料塗布容器の組立前の状態を示した図である。
【図５】本発明の第３の実施の形態に係る化粧料塗布容器において、塗布具を収容容器に収納した状態（ａ）、塗布具を収容容器から引き出した状態（ｂ）、キャップを１８０°回転させた状態（ｃ）を示した図である。
【符号の説明】
【００５６】
1  化粧料塗布容器
11  収容容器            12  化粧料収納室
13  スライド溝          14  開口部
15  収納室開口部        16  ガイド部材
17  貫通孔
21  連結部材            22  第２スライド部
23  連結凸部            24  第１スライド部
25  ストッパー          26  突条
27  保持板              28  連結具
29  連結具キャップ
31  キャップ            32  嵌合体
33  連結凹部            34  後嵌合体
51  塗布具              52  塗布部
53  柄                  54  ブラシ
【図１】
2006014852.tif 000003
【図２】
2006014852.tif 000004
【図３】
2006014852.tif 000005
【図４】
2006014852.tif 000006
【図５】
2006014852.tif 000007